(57)【要約】      （修正有）【課題】シート部のポペット側を鋼球に変更し、該鋼球をスプリング受けて弁座に押しつけることによってシートするノンリーク二方弁を提供する。【解決手段】弁体部１１は穴１６を形成する弁本体１５と、弁本体１５に穿設され前記穴１６の軸芯方向に間隔をおいて穿設された圧油の入力ポート１７、出口ポート１８が形成され、穴１６の一端（図１で右側）に電磁部１２のソレノイドガイド１９が螺着されている。さらに、穴１６にはソレノイドガイド１９に隣接して弁座２０、スリーブ２１、スペーサ２２、キャップ２３がこの順序で嵌着されている。【選択図】図１
2015135136.tif 000002
【特許請求の範囲】
【請求項１】
弁体部と、
前記弁体部に取着した電磁部と、
を備え、
前記弁体部は、穴を前記電磁部に同心状に設け該穴に連通する入力ポート、出力ポートを形成した弁体と、
前記弁体に取着した前記電磁部の突出しピンに隣接して前記穴に装着された弁座と、
前記弁座に隣接して前記穴に装着され小径穴を有する弁座と、
前記弁体に螺着し前記穴を閉塞するキャップと、
前記スリーブの段付穴に遊挿したばね受けと、
前記ばね受けの凹部に装着され前記弁座の小径穴に係合する鋼球と、
前記キャップ及び前記ばね受け間に装着され前記鋼球を前記弁座の小径穴に押し圧するばね部材と、
を備え、
前記電磁部のＯＮ，ＯＦＦにより、前記鋼球と前記突出しピンが接離し前記入力ポートから前記出力ポートに流れる油を供給、遮断することを特徴とするノンリーク二方弁。
【発明の詳細な説明】
【技術分野】
【０００１】
本発明は油圧用二方弁に関するもので、特に各ポート間の内部リークを小さくしたノンリーク二方弁に関する。
【背景技術】
【０００２】
従来、この種のノンリーク形ソレノイドバルブとしては特許文献１に示すように、スリーブＡとスプールＢを使用して第二スリーブ体６に設けたバルブシート１０によりアクチュエータポート３と高圧入口ポート４をそれぞれシートしている。
ポペット（スプールＢ）とバルブシート１０は互いに設けたテーパによってアクチュエータポート３及び高圧入口ポート４の流れる圧油を遮断している。スプールＢは、スプリング力もしくはソレノイドコイルの電磁力によってスリーブＡに押しつけられている。ｎなお、ポペット（スプールＢ）はスリーブＡに通すことによって支持される（例えば、特許文献１参照。）。
【先行技術文献】
【特許文献】
【０００３】
【特許文献１】実公平７−５３３８号公報
【発明の概要】
【発明が解決しようとする課題】
【０００４】
しかしながら、特許文献１では、ポペットはスリーブによって支持されているため、ポペット外径とスリーブ内径の公差によって微少な傾きが生じる。
このため、ポペットとスリーブ間に微少な傾きが生じることによって、シート部から微少な漏れが発生する。
本発明は係る課題を解決するためになされたもので、シート部のポペット側を鋼球に変更し、該鋼球をスプリング受けて弁座に押しつけることによってシートするノンリーク二方弁を提供することを目的とする。
【課題を解決するための手段】
【０００５】
前記の目的を達成するために本発明は、
弁体部と，
前記弁体部に取着した電磁部と、
を備え、
前記弁体部は、穴を前記電磁部に同心状に設け該穴に連通する入力ポート、出力ポートを形成した弁体と、
前記弁体に取着した前記電磁部の突出しピンに隣接して前記穴に装着された弁座と、
前記弁座に隣接して前記穴に装着され小径穴を有する弁座と、
前記弁体に螺着し前記穴を閉塞するキャップと、
前記スリーブの段付穴に遊挿したばね受けと、
前記ばね受けの凹部に装着され前記弁座の小径穴に係合する鋼球と、
前記キャップ及び前記ばね受け間に装着され前記鋼球を前記弁座の小径穴に押し圧するばね部材と、
を備え、
前記電磁部のＯＮ，ＯＦＦにより、前記鋼球と前記突出しピンが接離し前記入力ポートから前記出力ポートに流れる油を供給、遮断することを特徴とする。
【発明の効果】
【０００６】
本発明は、シート部のポペット側を鋼球に変更する。鋼球はスプリング受けによって支持する。鋼球を弁座に押しつけることによってシートする。また、スプリング受けはスペーサによって支持される。
【図面の簡単な説明】
【０００７】
【図１】本発明の実施の形態に係るノンリーク二方弁の縦断面図である。
【発明を実施するための最良の形態】
【０００８】
本発明のノンリーク二方弁につき、好適な実施の形態を挙げ、添付図面を参照して詳細に説明する。図１は、本発明の実施の形態に係るノンリーク二方弁（以下、二方弁という）１０の概略構造を示す略縦断面図である。二方弁１０は、弁体部１１と、前記弁体部１１に取着された電磁部１２とから形成されている。
ここで、電磁部１２の構成は従来から知られているので、詳細な説明は省略する。
【０００９】
弁体部１１は穴１６を形成する弁本体１５と、弁本体１５に穿設され前記穴の軸芯方向に間隔をおいて穿設された圧油の入力ポート１７、出口ポート１８が形成され、穴１６の一端（図１で右側）に電磁部１２のソレノイドガイド１９が螺着されている。
さらに、穴１６にはソレノイドガイド１９に隣接して弁座２０、スリーブ２１、スペーサ２２、キャップ２３がこの順序で嵌着されている。
【００１０】
弁座２０は、円筒の逆コ字状を呈しており、図１で右側に開口部２０ｂが形成され、側壁面（図１で左側）に小径穴２０ａが穿設されており、開口部２０ｂ、小径穴２０ａにソレノイドガイド１９に摺動自在に支持されたプッシュロッド１３が遊挿されている。
スリーブ２１は円筒形状を形成し、内周面に段付穴２４を形成している。段付穴２４は両端に大径穴２４ａ、２４ｂ、該大径穴２４ａ、２４ｂ間に小径穴２４ｃが形成されている。
【００１１】
段付穴２４の大径穴２４ａにはばね受け２５の大径部２５ａが遊挿されており、段付穴２４の小径穴２４ｃにはばね受け２５の小径部２５ｂ遊挿されており、段付穴２４の大径部２４ａ、小径穴２４ｃとばね受け２５の大径部２５ａ、小径部２５ｂとは径方向に隙間を有している。
【００１２】
ばね受け２５の小径部２５ｂは細い軸状を形成し、スペーサ２２に嵌挿されてキャップ２３の開口部２３ａに突出している。ばね受け２５の一端（図１で右端）には断面円形の凹部２６が形成され、該凹部２６には鋼球２７が回転自在に嵌挿されている。
鋼球２７は一側（図１で左側）が凹部２６の底部の円錐面２６ａに係合する共に、他側（図１で右側）が弁座２０の小径穴２０ａの端面（図１で左面）に係合しており、か電磁部１２の連結突出ピン１３の先端（図１で左端）に当接するようになっている。
【００１３】
キャップ２３は穴１６を閉塞するために弁本体１５に螺着されており、シール部材、例えばＯリングにより液密的に結合しており、開口部２３ａにはばね部材２８が装着されている。ばね部材２８は一端がばね受け２５の小径穴２５ｃに支持され、他端がキャップ２３の開口部２３ａの端部（図１で左端）に支持されている。
参照符号２９はドレーン通路で、点線で示している。
【００１４】
本発明の実施の形態に係るノンリーク二方弁１０は基本的には以上のように構成される
ものであり、次に動作について説明する。
図１において、電磁部１２がＯＦＦ（非励磁）のとき、ばね部材２８の弾発力によってばね受け２５及び鋼球２７に矢印Ｘ方向の力が作用する。このため、鋼球２７が弁座２０の小径穴２０ａに押付けられてシートしている。この状態では、入力ポート１７から出口ポート１８に油が流れない。
電磁部１２がＯＮ（励磁）のとき、電磁弁１２の励磁力によってプッシュロッド１３に矢印Ｙ方向の力が作用する。
プッシュロッド１３がばね部材２８の弾発力に打ち勝つことによって、鋼球２７がプッシュロッド１３により矢印Ｙ方向へ移動する。このため、弁座２０と鋼球２７との間に隙間ができるので、その間から油が入力ポート１７から出口ポート１８に流れる
【符号の説明】
【００１５】
１０  ノンリーク二方弁                １１  弁体部
１２  電磁部                          １３  突出しピン
１５  弁本体                          １６  穴
１７  入力ポート                      １８  出口ポート
１９  ソレノイドガイド                ２０  弁座
２１  スリーブ                        ２２  カラー
２３  キャップ                        ２４  段付穴
２５  ばね受け                        ２６  凹部
２６ａ  円錐面                        ２７  鋼球
２８  ばね部材                        ２９  ドレーン通路
【図１】
2015135136.tif 000003